(57)【要約】【課題】  慣れない人であっても簡単確実に写真等を鏡面状態にて裏打材に定着することを可能ならしめる写真等の作品の裏打材セット及びそれを用いた裏打方法を提供することを課題とする。【解決手段】  片面全面に糊層を有していてその上に剥離紙２を定置した裏打材１と、前記剥離紙２に接続されて前記剥離紙２上に裏返して重ねられる剥離補助シート３とから成り、好ましくは更に、裏返して前記剥離紙２上に重ねられた前記剥離補助シート３上に置かれる作品上１０に載置する押さえ台紙４を含む。【選択図】  図６
2005254492.tif 000002
【特許請求の範囲】
【請求項１】
片面全面に糊層を有していてその上に剥離紙を定置した裏打材と、前記剥離紙に接続されて前記剥離紙上に裏返して重ねられる剥離補助シートとから成る写真等の作品の裏打材セット。
【請求項２】
裏返して前記剥離紙上に重ねられた前記剥離補助シート上に置かれる作品上に載置する押さえ台紙を更に含む請求項１又は２に記載の写真等の作品の裏打材セット。
【請求項３】
前記糊層は、糊山を作品の貼着方向に対し斜行する方向に規則的に配列して形成したものである請求項１又は２に記載の写真等の作品の裏打材セット。
【請求項４】
前記剥離補助シートは前記剥離紙と別体で、使用時に粘着テープによりつなぎ合わせられる請求項１乃至３のいずれかに記載の写真等の作品の裏打材セット。
【請求項５】
前記剥離補助シートは、前記剥離紙に連設されている請求項１乃至３のいずれかに記載の写真等の作品の裏打材セット。
【請求項６】
前記押さえ台紙上を転圧する転圧ローラーを更に含む請求項１乃至５に記載の写真等の作品の裏打材セット
【請求項７】
請求項１に記載の裏打材セットを用いて行なう裏打方法であって、前記剥離補助シートを反転させて前記剥離紙上に重ねるステップと、前記ステップに伴って剥離紙の端部を剥がして糊層の一部を露出させるステップと、露出した前記一部の糊層に沿わせて作品の端部を貼着するステップと、前記作品の上に押さえ台紙を載置するステップと、前記押さえ台紙が載置された状態で前記剥離補助シートを引っ張って前記剥離紙を剥離させて前記作品と裏打材との間から引き抜くステップと、前記押さえ台紙によって前記作品を押さえ付けるステップとから成ることを特徴とする写真等の作品の裏打方法。
【発明の詳細な説明】
【技術分野】
【０００１】
本発明は写真等の作品の裏打材セット及びそれを用いた裏打方法、より詳細には、写真やポスターのような薄手の作品を展示にするに際し、これら写真やポスター等の作品（以下単に「写真」とする。）を鏡面状、即ち、表面に凹凸が生じないような状態に貼り付け、且つ、写真の反りや波打ちを防止して平滑性を確保するための裏打材セット及びそれを用いた裏打方法に関するものである。
【背景技術】
【０００２】
展示用、装飾用等の写真は、スポットライトの熱、湿気、温度変化等によってしわが寄ったり波打ったりして平面性を失うことがあるが、そのような場合には作品の価値が薄れるので、その平面性を確保するために裏打材が定着される。
【０００３】
従来上記写真の裏打材としては、ポリエステル材、ポリ塩化ビニール材、厚手のケント紙等が用いられている。これらの裏打材への写真の定着には、両面テープや糊が用いられる。
【０００４】
両面テープを用いる方法は、樹脂コート紙（ＲＣペーパー）の写真の内、樹脂部分が軟質の印画紙の場合にはまだよいが、硬質の印画紙の場合には両面テープの部分において写真表面に凹凸が生じ、見栄えが悪くなって写真の価値も薄れる。
【０００５】
そこで、写真の裏打材への定着には、一般に糊が用いられるが、そのような簡便な方法であっても、慣れないと上手く行うことができず、ましてやエア溜まりのない鏡面貼りとなると、素人には簡単にはなし難いことである。
【０００６】
予め、裏打材に糊層が設けられ、その上に剥離紙が定着されたものが製品として供給されているが、この場合、剥離紙を剥がした後、糊層上に写真を載置するときに、全面を均一に載置して貼着することは容易ではない。
【０００７】
また、糊層は、エア抜きし易いように、糊山を縦横に配置して形成されることが多いが、その場合は、横方向のエアの逃げ道が写真の貼着方向と直交するため、エアが糊山に衝突して逃げにくくなり、閉じ込められることによってエア溜まりが生じ、写真表面に凹凸が生じ易いという問題がある（図１０参照）。
【０００８】
この凹凸の発生を是正するために、写真を裏打材上に載置した後、写真を押圧することも行われているが、その場合は、写真に塵埃が付着し、また、擦り傷が付き易いという問題が起こっていた。
【０００９】
【特許文献１】特開平９−２２２７１７号公報
【特許文献２】特開平１０−９０８５５号公報
【特許文献３】特開２０００−１５５４０３号公報
【発明の開示】
【発明が解決しようとする課題】
【００１０】
上述したように従来は、写真の裏打材への定着作業は簡単ではなく、鏡面貼りを簡単確実に行うことは甚だ困難なことであったので、本発明は、慣れない人であっても簡単確実に写真等を鏡面状態にて裏打材に定着することを可能ならしめる写真等の作品の裏打材セット及びそれを用いた裏打方法を提供することを課題とする。
【課題を解決するための手段】
【００１１】
上記課題を解決するための本発明に係る写真等の作品の裏打材セットは、片面全面に糊層を有していてその上に剥離紙を定置した裏打材と、前記剥離紙に接続されて前記剥離紙上に裏返して重ねられる剥離補助シートとから成り、好ましくは更に、裏返して前記剥離紙上に重ねられた前記剥離補助シート上に置かれる作品上に載置する押さえ台紙を含む。
【００１２】
本発明はまた、上記裏打材セットを用いて行なう裏打方法であって、前記剥離補助シートを反転させて前記剥離紙上に重ねるステップと、前記ステップに伴って剥離紙の端部を剥がして糊層の一部を露出させるステップと、露出した前記一部の糊層に沿わせて作品の端部を貼着するステップと、前記作品の上に押さえ台紙を載置するステップと、前記押さえ台紙が載置された状態で前記剥離補助シートを引っ張って前記剥離紙を剥離させて前記作品と裏打材との間から引き抜くステップと、前記押さえ台紙によって前記作品を押さえ付けるステップとから成ることを特徴とする写真等の作品の裏打方法、を以て上記課題を解決した。
【発明の効果】
【００１３】
慣れない人であっても簡単確実に写真等を鏡面状態にて裏打材に定着することを可能ならしめる効果がある。
【発明を実施するための最良の形態】
【００１４】
本発明を実施するための最良の形態について、図１乃至図７を参照して詳細に説明する。本発明に係る裏打材セットは、剥離紙２を有する裏打材１と剥離補助シート３とから成り、好ましくは更に、押さえ台紙４が組み合わされたセットであり（図１）、このうち剥離補助シート３と押さえ台紙４は、付属部材として、裏打材１の写真への貼付作業に使用されるものである。
【００１５】
裏打材１はその片面全面に糊層５を有しており、その上に剥離紙２が被装される。糊層５は、糊山部５ａと溝部５ｂとから構成される。例えば、糊山部５ａは正方形とされ、写真の接着方向に対して斜行する方向に規則的に配列される。このように配列した場合は、写真に押されて逃げていくエアの抜け方向が斜め方向となるため、エアは障害物なくスムーズに外に逃げていく（図９における矢印参照）。
【００１６】
通例、剥離補助シート３の長さは、大体剥離紙２と同じにし、その幅は剥離紙２よりも狭くする。剥離補助シート３は、剥離紙２と別体の場合が多いが、一連のものとすることもできる（図２）。別体の場合は、両者をつなぐための粘着テープ６が必要となる。粘着テープ６は、好ましくは両面テープとされる。押さえ台紙４は、大体裏打材１と同じ大きさとされる。
【００１７】
以上のように構成された裏打材セットは、以下のようにして使用する。先ず、剥離紙２と剥離補助シート３とが別体の場合には、両者を並べ、粘着テープ６を剥離紙２と剥離補助シート３間に渡して両者をつなぐ（図３）。ここで、後の作業時に粘着テープ６が写真の裏に貼り付くのを防止するために、剥離紙２と剥離補助シート３とは、できるだけ隙間を空けないようにすることが好ましい（隙間が大きい場合は、粘着テープ６の粘着部が露出する。）。粘着テープ６として両面テープを用いることができる。
【００１８】
次に、剥離補助シート３を反転して剥離紙２上に少しずらして重ね、換言すれば、その端部が剥離紙２から少しはみ出るようにして重ねることにより、裏打材１の剥離紙２を数ｃｍめくり、糊層５の一部を露出させる（図４参照）。なお、この段階では、粘着テープ６が剥がれてしまうことを避けるために、剥離補助シート３を引っ張らずに剥離紙２を直接引っ張って剥がすようにした方がよい。
【００１９】
次に、一部露出させた糊層５の一方の角に、貼り付ける写真１０の角を合わせて指で押さえ、更に他方の角を合わせて仮貼着した後、写真１０の縁上を指でなぞることにより、写真１０の一辺を貼着する（図５）。
【００２０】
次に、押さえ台紙４を写真１０の上に載置し（図６）、押さえ台紙４の上から写真１０の貼着側端部を押さえながら、突出している剥離補助シート３の端部をつまんで徐々に引き抜いていく（図７参照）。この剥離補助シート３の動きに伴って剥離紙２が更にめくれていき、それに伴って次第に露出面積が増大することになる糊層５に、写真１０が貼着されていく。やがて、剥離紙２の全てがめくられて裏打材１と写真１０の間から抜き取られるに至り、糊層５の全面が表われて写真１０の全面が裏打材１上に貼着される。貼着後、２０〜３０分程放置し、裏打材１のはみ出した部分をカッター等で切り取る。
【００２１】
以上で写真への裏打材１の貼付作業は終了する。そして、通常は時間の経過と共に強固に貼り付くが、一部が浮いている場合や、作業後時間を置かずに展示等に使用したい場合には、写真の全面に均等に力が加わるように、押さえ台紙３の上からローラー掛けを行なうこともある（図８参照）。このローラー掛けに使用するローラーとしては、単なる紙管や塩ビ管等を用いることができるが、ハンドルを付けたものを用いれば、作業はより容易となる。これらのローラーをセットに組み込むこともある。
【００２２】
剥離紙２と剥離補助シート３とが別体の場合、剥離補助シート３は反復使用が可能である。従って、セット中に、剥離補助シート３は１枚であって、裏打材１は複数枚含めることもある。
【００２３】
この発明をある程度詳細にその最も好ましい実施態様について説明してきたが、この発明の精神と範囲に反することなしに広範に異なる実施態様を構成することができることは明白なので、この発明は添付請求の範囲において限定した以外はその特定の実施態様に制約されるものではない。
【図面の簡単な説明】
【００２４】
【図１】本発明に係る裏打材セットの各構成部品を示す図である。
【図２】本発明に係る裏打材セットにおける剥離紙と剥離補助シートの他の構成例を示す図である。
【図３】本発明に係る裏打材の貼付作業の第１ステップを示す図である。
【図４】本発明に係る裏打材の貼付作業の第２ステップを示す図である。
【図５】本発明に係る裏打材の貼付作業の第３ステップを示す図である。
【図６】本発明に係る裏打材の貼付作業の第４ステップを示す図である。
【図７】本発明に係る裏打材の貼付作業の第５ステップを示す図である。
【図８】本発明に係る裏打材の貼付作業の第６ステップを示す図である。
【図９】本発明に係る裏打材の糊層の構成例を示す図である。
【図１０】従来の裏打材の糊層の構成例を示す図である。
【符号の説明】
【００２５】
１    裏打材
２    剥離紙
３    剥離補助シート
４    押さえ台紙
５    糊層
５ａ  糊山部
５ｂ  溝部
６    粘着テープ
７    ローラー
１０  写真
【図１】
2005254492.tif 000003
【図２】
2005254492.tif 000004
【図３】
2005254492.tif 000005
【図４】
2005254492.tif 000006
【図５】
2005254492.tif 000007
【図６】
2005254492.tif 000008
【図７】
2005254492.tif 000009
【図８】
2005254492.tif 000010
【図９】
2005254492.tif 000011
【図１０】
2005254492.tif 000012